【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
（Ａ）少なくとも１つのポリオレフィンと；（Ｂ）少なくとも１つの分散剤と；（Ｃ）水と；を含み、７より大きく１２未満のｐＨを有する、水性分散物。
【請求項２】
（Ａ）少なくとも１つのプロピレンが豊富なコポリマーと；（Ｂ）少なくとも１つの分散剤と；（Ｃ）水と；を含み、５μｍ未満の体積平均粒径を有する、水性分散物。
【請求項３】
前記分散剤が成分（Ａ）の重量に基づいて４重量パーセント未満含む、請求項１または２に記載の分散物。
【請求項４】
前記分散物が５μｍ未満の体積平均粒径を有する、請求項１に記載の分散物。
【請求項５】
前記分散物が７より大きく１２未満のｐＨを有する、請求項２に記載の分散物。
【請求項６】
成分（Ａ）が、エチレンと、Ｃ4−Ｃ20直鎖、分岐または環状ジエン、ビニルアセテート、および式Ｈ2Ｃ＝ＣＨＲ（式中、ＲはＣ1−Ｃ20直鎖、分岐または環状アルキル基またはＣ6−Ｃ20アリール基である）によって表される化合物から成る群より選択される少なくとも１つのコモノマーとのインターポリマーを含む、請求項１に記載の分散物。
【請求項７】
成分（Ａ）が、プロピレンと、エチレン、Ｃ4−Ｃ20直鎖、分岐または環状ジエン、および式Ｈ2Ｃ＝ＣＨＲ（式中、ＲはＣ1−Ｃ20直鎖、分岐または環状アルキル基またはＣ6−Ｃ20アリール基である）によって表される化合物から成る群より選択される少なくとも１つのコモノマーとのコポリマーを含む、請求項１または２に記載の分散物。
【請求項８】
（Ａ）少なくとも１つの熱可塑性樹脂と；（Ｂ）少なくとも１つの分散剤と；（Ｃ）水
と；を含み、１２未満のｐＨを有する、水性分散物であって、前記熱可塑性樹脂が、プロピレンと、エチレン、Ｃ4−Ｃ20直鎖、分岐または環状ジエン、および式Ｈ2Ｃ＝ＣＨＲ（式中、ＲはＣ1−Ｃ20直鎖、分岐または環状アルキル基またはＣ6−Ｃ20アリール基である）によって表される化合物から成る群より選択される少なくとも１つのコモノマーとのコポリマーを含み、前記プロピレンのコポリマーが、５〜２５重量％のエチレン由来単位および９５〜７５重量％のプロピレン由来単位を含む、プロピレンが豊富なαオレフィンインターポリマーであり、前記コポリマーが：
（ａ）９０℃未満の融点と；
（ｂ）弾性が０．９３５Ｍ＋１２（ここで弾性はパーセントであり、ＭはＭＰａでの５００％引張係数である）又はそれ以下であるような、５００％引張係数に対する弾性の関係と；
（ｃ）曲げ弾性率が４．２ｅ0.27M＋５０（ここで曲げ弾性率はＭＰａであり、ＭはＭＰａでの５００％引張係数である）又はそれ以下であるような、５００％引張係数に対する曲げ弾性率の関係と、を有する、前記水性分散物。
【請求項９】
（Ａ）少なくとも１つの熱可塑性樹脂と；（Ｂ）少なくとも１つの分散剤と；（Ｃ）水
と；を含み、１２未満のｐＨを有する、水性分散物であって、前記熱可塑性樹脂が、プロピレンと、エチレン、Ｃ4−Ｃ20直鎖、分岐または環状ジエン、および式Ｈ2Ｃ＝ＣＨＲ（式中、ＲはＣ1−Ｃ20直鎖、分岐または環状アルキル基またはＣ6−Ｃ20アリール基である）によって表される化合物から成る群より選択される少なくとも１つのコモノマーとのコポリマーを含み、前記プロピレンのコポリマーが、プロピレン由来単位と、エチレンおよびＣ４−Ｃ２０αオレフィンから成る群より選択される少なくとも１つのコモノマーとを含み、６５モルパーセントを超えるプロピレン含有率と、１５，０００〜２００，０００の重量平均分子量（Mw）と、１．５〜４の重量平均分子量／数平均分子量（Mw／Mn）と、ＤＳＣによって決定された３０〜８０Ｊ／ｇの融解熱とを有する、プロピレンが豊富なαオレフィンインターポリマーである、前記水性分散物。
【請求項１０】
前記プロピレンが豊富なαオレフィンインターポリマーがプロピレンエチレンインターポリマーである、請求項８または９に記載の分散物。
【請求項１１】
前記エチレンのインターポリマーが０．９２ｇ／cc未満の密度を有する、請求項６に記載の分散物。
【請求項１２】
前記プロピレンエチレンインターポリマーが５％〜２５重量％のエチレン含有率を有する、請求項１０に記載の分散物。
【請求項１３】
成分（Ａ）が５０％未満の結晶性を有する、請求項１に記載の分散物。
【請求項１４】
前記分散剤が少なくとも１つのカルボン酸、少なくとも１つのカルボン酸の少なくとも１つの塩、少なくとも１つのカルボン酸エステル、または少なくとも１つのカルボン酸エステルの少なくとも１つの塩を含む、請求項１に記載の分散物。
【請求項１５】
前記分散剤が炭素原子２５個未満を有する、請求項４に記載の分散物。
【請求項１６】
前記分散剤がエチレンカルボン酸コポリマーから成る群より選択される、請求項１または２に記載の分散物。
【請求項１７】
前記分散剤がエチレンアクリル酸コポリマーまたはエチレンメタクリル酸コポリマーである、請求項１６に記載の分散物。
【請求項１８】
前記分散物が２．０に等しい、またはそれ未満の、数平均粒径（Dn）で割った体積平均粒径（Dv）として定義された粒径分布を有する、請求項１に記載の分散物。
【請求項１９】
（Ａ）少なくとも１つのポリオレフィンと；（Ｂ）少なくとも１つの分散剤と；（Ｃ）水と；を含む水性分散物であって、前記分散物が７より大きく１２未満のｐＨと、５μｍ未満の平均粒径とを有し、前記分散剤が前記ポリオレフィンの重量に基づいて前記分散物の４重量パーセント未満を含む、前記水性分散物。
【請求項２０】
前記プロピレンエチレンインターポリマーが、１４．６および１５．７ｐｐｍでレジオエラーに相当する13Ｃ ＮＭＲピークを有するプロピレンエチレンコポリマーである、請求項１０または１２に記載の分散物。
【請求項２１】
（Ａ）少なくとも１つの熱可塑性樹脂と；（Ｂ）少なくとも１つの分散剤と；（Ｃ）水と；を含む水性分散物であって、前記分散物が１２未満のｐＨと、５μｍ未満の平均粒径とを有し、前記分散剤が前記熱可塑性樹脂の重量に基づいて前記分散物の４重量パーセント未満を含み、前記熱可塑性樹脂が、１４．６および１５．７ｐｐｍでレジオエラーに相当する13Ｃ ＮＭＲピークを有するプロピレンエチレンコポリマーであり、該エチレンが、５から２５重量パーセントの量で該コポリマー中に存在する、前記水性分散物。
【請求項２２】
前記プロピレンエチレンインターポリマーが、非メタロセン、金属中心、ヘテロアリールリガンド触媒を使用して調製したプロピレン−エチレンコポリマーである、請求項１０または１２に記載の分散物。
【請求項２３】
前記ポリオレフィンが、非メタロセン、金属中心、ヘテロアリールリガンド触媒を使用して調製したプロピレン−エチレンコポリマーである、請求項１９に記載の分散物。
【請求項２４】
前記プロピレンが豊富なインターポリマーが、13Ｃ  ＮＭＲによって測定された、０．８５を超えるアイソタクチックトライアド（ｍｍ）を有する、請求項１０に記載の水性分散物。
【請求項２５】
前記インターポリマーが、ＡＳＴＭ  Ｄ−７９０−９７に従って測定した、５０ｋｐｓｉ未満の曲げ弾性率を有する、請求項１０に記載の水性分散物。
【請求項２６】
前記インターポリマーが１４０℃未満の融点を有する、請求項９に記載の水性分散物。
【請求項２７】
前記インターポリマーが９０℃未満の融点を有する、請求項１０に記載の水性分散物。
【請求項２８】
前記インターポリマーが８０Ｊ／ｇ未満の融解熱を有する、請求項１０に記載の水性分散物。
【請求項２９】
前記プロピレンが豊富なインターポリマーが、１４．６および１５．７ｐｐｍでレジオエラーに相当する13Ｃ ＮＭＲピークを有するプロピレンエチレンコポリマーである、請求項１０に記載の分散物。
【請求項３０】
成分（Ａ）が、エチレンと、Ｃ4−Ｃ20直鎖、分岐または環状ジエン、ビニルアセテート、および式Ｈ2Ｃ＝ＣＨＲ（式中、ＲはＣ1−Ｃ20直鎖、分岐または環状アルキル基またはＣ6−Ｃ20アリール基である）によって表される化合物から成る群より選択される少なくとも１つのコモノマーとのコポリマーを含み、前記エチレンのコポリマーが、１５，０００〜２００，０００の重量平均分子量（Mw）と、１．５〜４の重量平均分子量／数平均分子量（Mw／Mn）とを有する、請求項１に記載の分散物。